(57)【要約】      （修正有）【課題】金属板材に貫通孔を多数設け、該貫通孔形成領域内に、貫通孔の配置の仕方により文字を描出させるようにした金属表示板であって、特に、文字が浮き出たように見える金属表示板を提供する。【解決手段】貫通孔形成領域１０Ａは、同一の形状、同一サイズの貫通孔（開孔）１５を所定のピッチで配列させた状態から、部分的に、表現する文字の形成領域内の貫通孔全てを、該文字の左右および上下で、それぞれ、その輪郭幅が異なるように、位置ずらしした状態で、貫通孔を配している。【選択図】図１
2008298813.tif 000002
【特許請求の範囲】
【請求項１】
金属板材に貫通孔を多数設け、貫通孔形成領域内に、貫通孔の配置の仕方により文字を描出させるようにした金属表示板であって、前記貫通孔形成領域は、同一の形状、同一サイズの貫通孔を所定のピッチで配列させた状態から、部分的に、表現する文字の形成領域内の貫通孔全てを、該文字の左右および上下で、それぞれ、その輪郭幅が異なるように、位置ずらしした状態で、貫通孔を配していることを特徴とする金属表示板。
【請求項２】
請求項１に記載の金属表示板であって、金属板材をエッチングして貫通孔を設けたものであることを特徴とする金属表示板。
【請求項３】
請求項１ないし２のいずれか１項に記載の金属表示板であって、スピーカグリルであることを特徴とする金属表示板。
【発明の詳細な説明】
【技術分野】
【０００１】
本発明は、金属板材に貫通孔を多数設け、該貫通孔形成領域内に貫通孔の配置の仕方により文字を描出させるようにした金属表示板に関し、例えば、プラズマテレビ、液晶テレビ等のスピーカの前面に設けられるスピーカグリルを構成する貫通孔を多数設けた金属表示板に関する。
【背景技術】
【０００２】
近年、プラズマテレビや液晶テレビなどのフラットディスプレイ表示装置は、広く普及されている中、これら表示装置のスピーカの前面に覆設されたスピーカグリルに製品名、メーカー名等の文字を付けることが必要となり、当初は、特開２０００−１４８０２７号公報（特許文献１）に記載のように、文字等が表示された小形プレートをスピーカグリルに取着するようにしていたが、図３に示すように、同一の形状および大きさを有する多数の貫通小孔１１５が規則的に形成されたスピーカグリルを構成する貫通孔を有する金属表示板１１０に、表示する文字の形状通りに部分的に穿って貫通した孔部１２０を設けて、あるいは、図４に部分拡大図を示すように、金属表示板１１０ａに、文字等の形状に相当する部分には貫通孔部１１５を形成しないで金属板材を残して非貫通部１３０を設けて、文字等を表示することも考えられていた。
尚、図３、図４において、１１０ａ、１１０ｂは金属表示板、１１０Ａ、１１０Ｂは貫通孔形成領域、１１５は貫通孔部、１２０は貫通した孔部、１２５は吊り部、１３０は非貫通部である。
また、図３における貫通孔１１５は、それぞれ、Ｘ方向ピッチＰ１１、Ｙ方向ピッチＰ１２で、図４における貫通孔１１５は、それぞれ、Ｘ方向ピッチＰ２１、Ｙ方向ピッチＰ２２で、千鳥に設けられている。
【特許文献１】特開２０００−１４８０２７号公報
【０００３】
しかし、文字等が表示された小形プレートをスピーカグリルに取着する方法では、スピーカグリルに形成された多数の貫通孔の一部が、該小形プレートに塞がれてしまい、音の抜けが悪くなるという問題があり、また、図３に示す文字表示の場合には、強度の面で問題が発生することがあり、また、図４に示す文字表示では局部的に貫通孔（１１５に相当）が形成されていないため、特にプレス加工にて作製する場合には、成形加工した際に歪が生じる恐れがあるという問題があった。
【０００４】
このため、特開２００６−３９１８７号公報（特許文献２）に記載のように、表示する文字領域（文字形成部とも言う）における貫通孔のピッチ、形状、サイズのいずれかを部分的に変えて、上記の問題を解決することが提案されている。
【特許文献２】特開２００６−３９１８７号公報
【発明の開示】
【発明が解決しようとする課題】
【０００５】
このように、近年、プラズマテレビや液晶テレビなどのフラットディスプレイ表示装置が広く普及され、これら表示装置のスピーカの前面に覆設されたスピーカグリルに製品名、メーカー名等の文字を付けることが必要となってきて、特開２００６−３９１８７号公報（特許文献２）に記載のように、表示する文字領域（文字形成部とも言う）における貫通孔のピッチ、形状、サイズのいずれかを部分的に変えて形成した多孔板を用いることが提案されているが、この多孔板を用いた場合、表示する文字領域（文字形成部とも言う）が、他と異なり、文字が大きい場合や文字の数が多い場合には、部分的に、音の抜けが良くなったり、悪くなるという問題があり、この対応が求められていた。
本発明は、これに対応するもので、金属板材に貫通孔を多数設け、該貫通孔形成領域内に、貫通孔の配置の仕方により文字を描出させるようにした金属表示板であって、特に、文字が浮き出たように見える金属表示板を提供しようとするものである。
具体的には、スピーカグリルを構成する金属板材に貫通孔を多数設け、該貫通孔形成領域内に、貫通孔の配置の仕方により文字を描出させるようにした金属表示板であって、特に、文字が大きい場合や文字の数が多い場合には、部分的に、音の抜けが良くなったり、悪くなるという問題が起こらない、金属表示板を提供しようとするものである。
【課題を解決するための手段】
【０００６】
本発明の金属表示板は、金属板材に貫通孔を多数設け、貫通孔形成領域内に、貫通孔の配置の仕方により文字を描出させるようにした金属表示板であって、前記貫通孔形成領域は、同一の形状、同一サイズの貫通孔（開孔とも言う）を所定のピッチで配列させた状態から、部分的に、表現する文字の形成領域内の貫通孔全てを、該文字の左右および上下で、それぞれ、その輪郭幅が異なるように、位置ずらしした状態で、貫通孔を配していることを特徴とするものである。
そして、上記の金属表示板であって、金属板材をエッチングして貫通孔を設けたものであることを特徴とするものである。
そしてまた、上記いずれかの金属表示板であって、スピーカグリルであることを特徴とするものである。
【０００７】
（作用）
本発明の金属表示板、このような構成にすることにより、金属板材に貫通孔を多数設け、該貫通孔形成領域内に、貫通孔の配置の仕方により文字を描出させるようにした金属表示板であって、特に、文字が浮き出て見える金属表示板の提供を可能としている。
具体的には、貫通孔形成領域は、同一の形状、同一サイズの貫通孔（開孔）を所定のピッチで配列させた状態から、部分的に、表現する文字の形成領域内の貫通孔全てを、文字の左右および上下で、それぞれ、その輪郭幅が異なるように、位置ずらしした状態で、貫通孔を配していることにより、これを達成している。
詳しくは、反射光にて文字形成領域を見た場合、文字の左右および上下で、それぞれ、一方の輪郭幅が太く、また他方の輪郭幅が細くなり、文字部が浮き上がったように見える。
輪郭幅が太い方は影のように見える。
【０００８】
そして、金属板材をエッチングして貫通孔を設けたものである、請求項２の発明の形態の場合、加工の際に歪が生じる恐れがないものとしている。
エッチング加工技術は、無歪加工で、金属板材の材質や硬度の影響が小で、打ち抜き加工のようなバリ発生を伴わない。
打ち抜き加工の場合は、成形において歪を伴う。
【０００９】
金属表示板としては、具体的には、スピーカグリルが挙げられる。
この場合、特に、文字が大きい場合や文字の数が多い場合にも、部分的に、音の抜けが良くなったり、悪くなるという問題が起こらなくできる。
このようなスピーカグリルは、プラズマテレビや液晶テレビなどのフラットディスプレイ表示装置のスピーカの前面に覆設されたスピーカグリルの他にも、ステレオや車のスピーカー等へも適用できる。
【発明の効果】
【００１０】
本発明は、上記のように、金属板材に貫通孔を多数設け、該貫通孔形成領域内に、貫通孔の配置の仕方により文字を描出させるようにした金属表示板であって、特に、文字が大きい場合や文字の数が多い場合に、均一性を向上させた金属表示板の提供を可能とした。  特に、スピーカグリルを構成する金属板材に貫通孔を多数設け、該貫通孔形成領域内に、貫通孔の配置の仕方により文字を描出させるようにした金属表示板であって、文字が大きい場合や文字の数が多い場合には、部分的に、音の抜けが良くなったり、悪くなるという問題が起こらない、金属表示板の提供を可能とした。
【発明を実施するための最良の形態】
【００１１】
本発明の実施の形態を図に基づいて説明する。
図１は本発明の金属表示板の実施の形態の１例の一部を示した図で、図２は図１に示す例を説明するための所定のピッチ配列で貫通孔を設けた金属板材の一部を示した図である。
尚、図２に示す文字形成領域の貫通孔１５ａ全てを、Ｘ方向（文字の左右方向）、Ｙ方向（文字の上下方向）、それぞれ、矢印の向きに所定の量だけ、位置ずらししたものが図１に示すもので、図１における文字形成領域の貫通孔、文字形成領域以外の貫通孔形成領域の貫通孔、図２における貫通孔形成領域の貫通孔は、それぞれ、Ｘ方向ピッチＰ１、Ｙ方向ピッチＰ２で、千鳥に設けられている。
また、図１において、太い点線部は文字の輪郭幅が広い部分を示している。
図１、図２において、１０は金属板材、１０Ａ、１０Ｂは貫通孔形成領域、１５は貫通孔、１５ａは（文字形成領域の）貫通孔である。
【００１２】
はじめに、本発明の金属表示板の実施の形態の１例を、図１に基づいて説明する。
本例の金属表示板は、エッチング加工により、金属板材１０に貫通孔１５を多数設け、貫通孔形成領域内１０Ａに、貫通孔１５の配置の仕方により文字を描出させるようにしたスピーカグリルで、貫通孔形成領域１０Ａは、同一の形状、同一サイズの貫通孔（開孔）を所定のピッチで配列させた状態から、部分的に、表現する文字の形成領域内の貫通孔全てを、該文字の左右および上下で、それぞれ、その輪郭幅が異なるように、位置ずらしした状態で、貫通孔を配している。
ここでは、文字Ｐを描出する場合を挙げているが、文字はこれに限定されない。
図１に示す、文字形成領域の貫通孔１５ａ全ては、図２に示す文字形成領域の貫通孔１５ａ全てを、Ｘ方向（文字の左右方向）、Ｙ方向（文字の上下方向）、それぞれ、矢印の向きにＰ１ａ，Ｐ２ａだけ、位置ずらしした状態のものである。
尚、図１における文字形成領域の貫通孔、文字形成領域以外の貫通孔形成領域の貫通孔、図２における貫通孔形成領域の貫通孔は、それぞれ、Ｘ方向ピッチＰ１、Ｙ方向ピッチＰ２で、千鳥配列に設けられているが、配列は千鳥配列に限定されない。
本例においては、図１に太い点線部で示すように、文字Ｐの輪郭は、下側、右側が太くなり、また、上側、左側が細くあるいは重なるようになり、特に、反射光にて文字形成領域を見た場合、文字の左右および上下で、それぞれ、一方の輪郭幅が太く、また他方の輪郭幅が細くなり、文字部が浮き上がったように見える。
輪郭幅が太い方は影のように見える。
【００１３】
本例はスピーカグリルであるため音の均一な抜けが求められるが、文字形成領域の貫通孔、文字形成領域以外の貫通孔形成領域の貫通孔は、いずれも、Ｘ方向ピッチＰ１、Ｙ方向ピッチＰ２で、千鳥配列に設けられているため、文字Ｐの輪郭部幅のみが左右、上下で異なるだけで、音の均一な抜けについては、影響を受けずらく、本例では、文字が大きい場合や文字の数が多い場合にも、部分的に、音の抜けが良くなったり、悪くなるという問題が起こらない。
【００１４】
本例の金属表示板は、金属板材をエッチングして貫通孔を設けたものであり、打ち抜き加工のように、成形における歪の発生やバリの発生を伴わない。
また、エッチング加工にて形成されるため、金属板材の材質や硬度の自由度を大きなものとしている。
本例の場合、エッチング加工としては、例えば、加工用の金属板材の表裏両面にレジストを塗布して各面、それぞれ、レジストをマスク基板等を用いてパターン露光して、現像、乾燥等を行い、更に、両面のレジストを耐エッチングマスクとして、両面からスプレーエッチングして貫通孔部を形成し、更に、レジストを剥離、洗浄処理を行い、必要に応じて切断工程を行うが、これに限定はされない。
特に薄い金属板材の場合には、片面からのみエッチングを行う加工方法が好ましい。
金属板材の材質としては、例えば、ステンレス材や鉄ーニッケル合金等が上げられるが、目的に対応して材質を選ぶ。
【００１５】
尚、上記例は１例で、本発明はこれらに限定されるものではない。
場合によっては、貫通孔の配置を千鳥以外の配列にしたものでも良い。
【図面の簡単な説明】
【００１６】
【図１】本発明の金属表示板の実施の形態の１例の一部を示した図である。
【図２】図１に示す例を説明するための所定のピッチ配列で貫通孔を設けた金属板材の一部を示した図である。
【図３】従来の文字を表わした金属表示板の例を示した図である。
【図４】従来の他の文字を表わした金属表示板の例を示した図である。
【符号の説明】
【００１７】
１０                金属板材
１０Ａ、１０Ｂ      貫通孔形成領域
１５                貫通孔
１５ａ            （文字形成領域の）貫通孔
１１０ａ、１１０ｂ  金属表示板
１１０Ａ、１１０Ｂ  貫通孔形成領域
１１５              貫通孔部
１２０              貫通した孔部
１２５              吊り部
１３０              非貫通部
【図１】
2008298813.tif 000003
【図２】
2008298813.tif 000004
【図３】
2008298813.tif 000005
【図４】
2008298813.tif 000006